(57)【要約】  ユーザ機器において、無線インターフェース回路は、２つの通信ネットワークと同時通信する。制御回路は、ＵＲＬＬＣ送信が必要な一方の通信ネットワークに対するＵＲＬＬＣの送信のために、一方の通信ネットワークの第１の予約電力、及び、ＵＲＬＬＣが運用されていない他方の通信ネットワークの第２の予約電力を利用することを決定する。そして、無線インターフェース回路は、第１の予約電力及び第２の予約電力を用いて、一方の通信ネットワークでＵＲＬＬＣの信号を送信する。
2018220992.tif 000002
【特許請求の範囲】
【請求項１】
通信ネットワークにおいてデュアルコネクティビティを実行可能なユーザ機器であって、
２つの通信ネットワークと同時通信し、前記２つの通信ネットワークの何れか一方でＵＲＬＬＣ（超高信頼性、低遅延通信）が運用される、無線インターフェース回路と、
前記一方の通信ネットワークに対して前記ＵＲＬＬＣ送信が必要であり、前記２つの通信ネットワークの他方の通信ネットワークでは前記ＵＲＬＬＣが運用されていないと判断する制御回路と、
を具備し、
前記制御回路は、前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、
前記無線インターフェース回路は、前記第１の予約電力及び前記第２の予約電力を用いて、前記一方の通信ネットワークで前記ＵＲＬＬＣの信号を送信する、
ユーザ機器。
【請求項２】
前記ＵＲＬＬＣの信号は、超高信頼性、低遅延通信の制御情報である、
請求項１に記載のユーザ機器。
【請求項３】
前記ＵＲＬＬＣの信号は、スケジューリング要求（ＳＲ）またはＨＡＲＱ−ＡＣＫである、
請求項１に記載のユーザ機器。
【請求項４】
前記２つの通信ネットワークは、ＬＴＥ通信ネットワーク及びＮＲ通信ネットワーク、ＮＲ通信ネットワーク及びＮＲ通信ネットワーク、または、ＬＴＥ通信ネットワーク及びＬＴＥ通信ネットワークである、
請求項１に記載のユーザ機器。
【請求項５】
前記２つの通信ネットワークはそれぞれＬＴＥ通信ネットワーク及びＮＲ通信ネットワークであり、前記ＵＲＬＬＣは前記ＮＲ通信ネットワークで運用される、
請求項１に記載のユーザ機器。
【請求項６】
前記２つの通信ネットワークはそれぞれＬＴＥ通信ネットワーク及びＮＲ通信ネットワークであり、前記ＵＲＬＬＣは前記ＬＴＥ通信ネットワークで運用される、
請求項１に記載のユーザ機器。
【請求項７】
前記２つの通信ネットワークの一方はマスタ通信ネットワーク（ＭＣＧ）であり、他方はセカンダリ通信ネットワーク（ＳＣＧ）である、
請求項１に記載のユーザ機器。
【請求項８】
前記マスタ通信ネットワークはＮＲ通信ネットワークであり、前記セカンダリ通信ネットワークはＬＴＥ通信ネットワークである、
請求項７に記載のユーザ機器。
【請求項９】
前記マスタ通信ネットワークはＬＴＥ通信ネットワークであり、前記セカンダリ通信ネットワークはＮＲ通信ネットワークである、
請求項７に記載のユーザ機器。
【請求項１０】
前記２つの通信ネットワークはＮＲ通信ネットワーク及びＮＲ通信ネットワークであり、
一方の前記ＮＲ通信ネットワークはマスタ通信ネットワーク（ＭＣＧ）であり、他方の前記ＮＲ通信ネットワークはセカンダリ通信ネットワーク（ＳＣＧ）である、
請求項１に記載のユーザ機器。
【請求項１１】
前記２つの通信ネットワークはＬＴＥ通信ネットワーク及びＬＴＥ通信ネットワークであり、
一方の前記ＬＴＥ通信ネットワークはマスタ通信ネットワーク（ＭＣＧ）であり、他方の前記ＬＴＥ通信ネットワークはセカンダリ通信ネットワーク（ＳＣＧ）である、
請求項１に記載のユーザ機器。
【請求項１２】
通信ネットワークにおいてデュアルコネクティビティを実行可能なユーザ機器であって、
２つの通信ネットワークと同時通信し、前記２つの通信ネットワークの双方でＵＲＬＬＣ（超高信頼性、低遅延通信）が運用される、無線インターフェース回路と、
前記２つの通信ネットワークの双方に対して前記ＵＲＬＬＣ送信が必要であると判断する制御回路と、
を具備し、
前記制御回路は、前記２つの通信ネットワークの各々に対する前記ＵＲＬＬＣ送信のために、他の通信ネットワークの予約電力を利用せずに、前記２つの通信ネットワークのそれぞれの予約電力を利用することを決定し、
前記無線インターフェース回路は、前記２つの通信ネットワークのそれぞれの前記予約電力を用いて、前記２つの通信ネットワークで前記ＵＲＬＬＣの信号をそれぞれ送信する、
ユーザ機器。
【請求項１３】
前記ＵＲＬＬＣの信号は、超高信頼性、低遅延通信の制御情報である、
請求項１２に記載のユーザ機器。
【請求項１４】
前記ＵＲＬＬＣの信号は、スケジューリング要求（ＳＲ）またはＨＡＲＱ−ＡＣＫである、
請求項１２に記載のユーザ機器。
【請求項１５】
前記２つの通信ネットワークは、ＬＴＥ通信ネットワーク及びＮＲ通信ネットワーク、ＮＲ通信ネットワーク及びＮＲ通信ネットワーク、または、ＬＴＥ通信ネットワーク及びＬＴＥ通信ネットワークである、
請求項１２に記載のユーザ機器。
【請求項１６】
前記２つの通信ネットワークはそれぞれＬＴＥ通信ネットワーク及びＮＲ通信ネットワークであり、前記ＵＲＬＬＣは前記ＮＲ通信ネットワークで運用される、
請求項１２に記載のユーザ機器。
【請求項１７】
前記２つの通信ネットワークはそれぞれＬＴＥ通信ネットワーク及びＮＲ通信ネットワークであり、前記ＵＲＬＬＣは前記ＬＴＥ通信ネットワークで運用される、
請求項１２に記載のユーザ機器。
【請求項１８】
前記２つの通信ネットワークの一方はマスタ通信ネットワーク（ＭＣＧ）であり、他方はセカンダリ通信ネットワーク（ＳＣＧ）である、
請求項１２に記載のユーザ機器。
【請求項１９】
前記マスタ通信ネットワークはＮＲ通信ネットワークであり、前記セカンダリ通信ネットワークはＬＴＥ通信ネットワークである、
請求項１８に記載のユーザ機器。
【請求項２０】
前記マスタ通信ネットワークはＬＴＥ通信ネットワークであり、前記セカンダリ通信ネットワークはＮＲ通信ネットワークである、
請求項１８に記載のユーザ機器。
【請求項２１】
前記２つの通信ネットワークはＮＲ通信ネットワーク及びＮＲ通信ネットワークであり、
一方の前記ＮＲ通信ネットワークはマスタ通信ネットワーク（ＭＣＧ）であり、他方の前記ＮＲ通信ネットワークはセカンダリ通信ネットワーク（ＭＣＧ）である、
請求項１２に記載のユーザ機器。
【請求項２２】
前記２つの通信ネットワークはＬＴＥ通信ネットワーク及びＬＴＥ通信ネットワークであり、
一方の前記ＬＴＥ通信ネットワークはマスタ通信ネットワーク（ＭＣＧ）であり、他方の前記ＬＴＥ通信ネットワークはセカンダリ通信ネットワーク（ＳＣＧ）である、
請求項１２に記載のユーザ機器。
【請求項２３】
通信ネットワークにおけるデュアルコネクティビティの実行方法であって、
２つの通信ネットワークと通信し、前記２つの通信ネットワークの何れか一方でＵＲＬＬＣ（超高信頼性、低遅延通信）が運用され、
前記一方の通信ネットワークに対して前記ＵＲＬＬＣ送信が必要であり、前記２つの通信ネットワークの他方の通信ネットワークでは前記ＵＲＬＬＣが運用されていないと判断し、
前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、
前記第１の予約電力及び前記第２の予約電力を用いて、前記一方の通信ネットワークで前記ＵＲＬＬＣの信号を送信する、
方法。
【請求項２４】
通信ネットワークにおけるデュアルコネクティビティの実行方法であって、
２つの通信ネットワークと通信し、前記２つの通信ネットワークの双方でＵＲＬＬＣ（超高信頼性、低遅延通信）が運用され、
前記２つの通信ネットワークの双方に対して前記ＵＲＬＬＣ送信が必要であると判断し、
前記２つの通信ネットワークの各々に対する前記ＵＲＬＬＣの送信のために、他の通信ネットワークの予約電力を利用せずに、前記２つの通信ネットワークのそれぞれの予約電力を利用することを決定し、
前記２つの通信ネットワークのそれぞれの前記予約電力を用いて、前記２つの通信ネットワークで前記ＵＲＬＬＣの信号をそれぞれ送信する、
方法。
【発明の詳細な説明】
【技術分野】
【０００１】
本開示は、通信ネットワークにおけるデュアルコネクティビティ（dual connectivity）に関する。特に、ＬＴＥ（Long Term Evolution）及びＮＲ（New Radio network）等の通信ネットワークにおけるデュアルコネクティビティに関する。
【背景技術】
【０００２】
３ＧＰＰ（Third Generation Partnership Project）では、より高いデータレート、ユーザプレーン（user plane）の遅延時間短縮、及び、より高い信頼性に対する需要拡大に対応するためにRelease 12においてデュアルコネクティビティ（ＤＣ）技術が標準化された。【０００３】
ＤＣのアーキテクチャによれば、ユーザ機器（ＵＥ：User Equipment）は同時に複数の通信ネットワーク（ｅＮＢまたは基地局）に接続可能である。ＵＥは、ＭｅＮＢ（Master eNB）を介してマスタセルグループ（ＭＣＧ（Mater Cell Group）。マスタ通信ネットワークと呼ぶこともある）に接続され、ＳｅＮＢ（Secondary eNB）を介してセカンダリセルグループ（ＳＣＧ（Secondary Cell Group）。セカンダリ通信ネットワークと呼ぶこともある）に接続される。ＭｅＮＢとＳｅＮＢとの間に非理想的バックホールが存在すると、ＵＥの送信電力がＵＥの最大送信電力を超過し、重要な上り信号の削減またはユーザスループットの劣化等の原因となる場合がある。重要な上り信号の削減の問題を回避するために、セルグループ毎の最少保障送信電力（minimum guaranteed transmission power）がＵＥに割り当てられている。【０００４】
モバイル環境が完備され相互接続された社会がますます重要視されつつある中で、３ＧＰＰは、5G New Radio（ＮＲ）アクセス技術の要件と仕様の開発により、容量及び性能のさらなる向上を目指している。5G NRの将来の利用状況及び応用については、ITU-R IMTによって２０２０年以降、以下に示す３つの利用シナリオに大まかに分類されている。【０００５】
−ｅＭＢＢ（enhanced Mobile Broadband）：超大容量及び超高速データレート
−ｍＭＴＣ（massive Machine Type Communication）：超低エネルギ及び超低複雑性
−ＵＲＬＬＣ（Ultra-Reliable and Low Latency Communication）：超高信頼性及び超低遅延【０００６】
今日、人間同士のつながりはもちろん、機械又はデバイスを相互接続することに重点が置かれている。３ＧＰＰは、将来の5G NRセルラシステムにおいて１ｍｓ以内で１０−５までの信頼性を提供することを目標にしている。そのような超高信頼性及び低遅延通信（ＵＲＬＬＣ）は、ミッションクリティカルなサービス（車両通信、産業オートメーション、ヘルスケア、公共安全）又は多くのＭＴＣアプリケーションにとって必須の機能である。【０００７】
また、非特許文献１は、ＮＲに関して、ＬＴＥセル（ＬＴＥ通信ネットワークと呼ぶこともある）及びＮＲセル（ＮＲ通信ネットワークと呼ぶこともある）がマクロセルまたはスモールセルであるホモジニアス（homogeneous）及びヘテロジニアス（heterogeneous）配置のシナリオを提唱する。また、非特許文献１は、ＬＴＥとＮＲとの間のＤＣについても考察している。ここで、ＤＣにおいて、ＭＣＧがＬＴＥセルからなり、ＳＣＧがＮＲセルからなる場合、または、ＭＣＧがＮＲセルからなり、ＳＣＧがＬＴＥセルからなる場合がある。
【先行技術文献】
【非特許文献】
【０００８】
【非特許文献１】3GPP TR 38.804 V14.0.0, “Study on New Radio Access Technology; Radio Interface Protocol Aspects (Release 14),” 2017-03
【発明の概要】
【０００９】
ＵＲＬＬＣはミッションクリティカルなサービスにとって必須な機能であるので、ＵＲＬＬＣの信号はできる限り大きな送信電力で送信されることが要求される。このため、デュアルコネクティビティ配置シナリオにおいてＵＲＬＬＣを扱う必要性が高まっている。しかしながら、デュアルコネクティビティにおいてＵＲＬＬＣに対する上り送信電力の制御方法について十分に検討がなされていない。
【００１０】
本開示の一態様は、デュアルコネクティビティに対応したＵＲＬＬＣの効率的な電力利用が可能なユーザ機器及び方法の提供に資する。
【００１１】
本開示の一態様において、通信ネットワークにおいてデュアルコネクティビティを実行可能なユーザ機器であって、２つの通信ネットワークと同時通信し、前記２つの通信ネットワークの何れか一方でＵＲＬＬＣ（超高信頼性、低遅延通信）が運用される、無線インターフェース回路と、前記一方の通信ネットワークに対して前記ＵＲＬＬＣ送信が必要であり、前記２つの通信ネットワークの他方の通信ネットワークでは前記ＵＲＬＬＣが運用されていないと判断する制御回路と、を具備し、前記制御回路は、前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、前記無線インターフェース回路は、前記第１の予約電力及び前記第２の予約電力を用いて、前記一方の通信ネットワークで前記ＵＲＬＬＣの信号を送信する、ユーザ機器を提供する。
【００１２】
別の一般的態様において、通信ネットワークにおいてデュアルコネクティビティを実行可能なユーザ機器であって、２つの通信ネットワークと同時通信し、前記２つの通信ネットワークの双方でＵＲＬＬＣ（超高信頼性、低遅延通信）が運用される、無線インターフェース回路と、前記２つの通信ネットワークの双方に対して前記ＵＲＬＬＣ送信が必要であると判断する制御回路と、を具備し、前記制御回路は、前記２つの通信ネットワークの各々に対する前記ＵＲＬＬＣ送信のために、他の通信ネットワークの予約電力を利用せずに、前記２つの通信ネットワークのそれぞれの予約電力を利用することを決定し、前記無線インターフェース回路は、前記２つの通信ネットワークのそれぞれの前記予約電力を用いて、前記２つの通信ネットワークで前記ＵＲＬＬＣの信号をそれぞれ送信する、ユーザ機器を提供する。
【００１３】
別の一般的態様において、通信ネットワークにおけるデュアルコネクティビティの実行方法であって、２つの通信ネットワークと通信し、前記２つの通信ネットワークの何れか一方でＵＲＬＬＣ（超高信頼性、低遅延通信）が運用され、前記一方の通信ネットワークに対して前記ＵＲＬＬＣ送信が必要であり、前記２つの通信ネットワークの他方の通信ネットワークでは前記ＵＲＬＬＣが運用されていないと判断し、前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、前記第１の予約電力及び前記第２の予約電力を用いて、前記一方の通信ネットワークで前記ＵＲＬＬＣの信号を送信する方法を提供する。
【００１４】
別の一般的態様において、通信ネットワークにおけるデュアルコネクティビティの実行方法であって、２つの通信ネットワークと通信し、前記２つの通信ネットワークの双方でＵＲＬＬＣ（超高信頼性、低遅延通信）が運用され、前記２つの通信ネットワークの双方に対して前記ＵＲＬＬＣ送信が必要であると判断し、前記２つの通信ネットワークの各々に対する前記ＵＲＬＬＣの送信のために、他の通信ネットワークの予約電力を利用せずに、前記２つの通信ネットワークのそれぞれの予約電力を利用することを決定し、前記２つの通信ネットワークのそれぞれの前記予約電力を用いて、前記２つの通信ネットワークで前記ＵＲＬＬＣの信号をそれぞれ送信する方法を提供する。
【００１５】
なお、これらの包括的または具体的な態様は、システム、装置、方法、集積回路、コンピュータプログラム、または、記録媒体で実現されてもよく、システム、装置、方法、集積回路、コンピュータプログラム及び記録媒体の任意な組み合わせで実現されてもよい。
【００１６】
本開示の一態様によれば、デュアルコネクティビティに対応したＵＲＬＬＣの効率的な電力利用を行うことができる。
【００１７】
本開示の一態様における更なる利点及び効果は、明細書及び図面から明らかにされる。かかる利点及び／または効果は、いくつかの実施形態並びに明細書及び図面に記載された特徴によってそれぞれ提供されるが、１つまたはそれ以上の同一の特徴を得るために必ずしも全てが提供される必要はない。
【図面の簡単な説明】
【００１８】
【図１】図１は、実施の形態に係るユーザ機器１００の一部の構成を示す。
【図２Ａ】図２Ａは、実施の形態に係る基地局２００、３００に接続されるユーザ機器１００の構成例を示す。
【図２Ｂ】図２Ｂは、実施の形態に係るＵＲＬＬＣ送信時のＬＴＥ−ＮＲデュアルコネクティビティにおける電力利用の一例を示す。
【図３】図３は、実施の形態に係るユーザ機器と基地局との間のＵＲＬＬＣ上り送信における電力利用のフローチャートの一例を示す。
【図４Ａ】図４Ａは、実施の形態の変形例２に係るＵＲＬＬＣ送信時のＬＴＥ−ＮＲデュアルコネクティビティにおける電力利用の一例を示す。
【図４Ｂ】図４Ｂは、実施の形態の変形例２に係るＵＲＬＬＣ送信時のＬＴＥ−ＮＲデュアルコネクティビティにおける電力利用の一例を示す。
【図４Ｃ】図４Ｃは、実施の形態の変形例２に係るＵＲＬＬＣ送信時のＬＴＥ−ＮＲデュアルコネクティビティにおける電力利用の一例を示す。
【図４Ｄ】図４Ｄは、実施の形態の変形例２に係るＵＲＬＬＣ送信時のＬＴＥ−ＮＲデュアルコネクティビティにおける電力利用の一例を示す。
【図５Ａ】図５Ａは、実施の形態の変形例２に係るＵＲＬＬＣ送信時のＮＲ−ＮＲデュアルコネクティビティにおける電力利用の一例を示す。
【図５Ｂ】図５Ｂは、実施の形態の変形例２に係るＵＲＬＬＣ送信時のＮＲ−ＮＲデュアルコネクティビティにおける電力利用の一例を示す。
【図６Ａ】図６Ａは、実施の形態の変形例２に係るＵＲＬＬＣ送信時のＬＴＥ−ＬＴＥデュアルコネクティビティにおける電力利用の一例を示す。
【図６Ｂ】図６Ｂは、実施の形態の変形例２に係るＵＲＬＬＣ送信時のＬＴＥ−ＬＴＥデュアルコネクティビティにおける電力利用の一例を示す。
【図７】図７は、実施の形態の変形例３に係るＵＲＬＬＣ同時送信時のＮＲ−ＮＲデュアルコネクティビティにおける電力利用の一例を示す。
【図８】図８は、実施の形態の変形例３に係るＵＲＬＬＣ同時送信時のＬＴＥ−ＬＴＥデュアルコネクティビティにおける電力利用の一例を示す。
【図９】図９は、実施の形態の変形例３に係るＵＲＬＬＣ同時送信時のＬＴＥ−ＮＲデュアルコネクティビティにおける電力利用の一例を示す。
【発明を実施するための形態】
【００１９】
以下、実施の形態について、通信方法、装置及びシステムに関する図面を参照して説明する。本技術は、種々の形態及び種々の順序で実施してもよく、以下に示す実施の形態に限定されるものと解釈すべきではない。むしろ、これらの実施の形態は、本開示が詳細にわたり完全であるように、また当業者に対して本技術が十分に伝わるように提供するものである。実際、本技術は、添付する特許請求の範囲に記載する技術の範囲及び趣旨に含まれる、本実施の形態に対する代替案、変更、相当物をカバーすることを意図している。また、以下に示す本技術の詳細な説明において、本技術の理解を確かなものにするために多くの具体的詳細を示す。ただし、そのような詳細がなくても本技術が実施可能であることは当業者にとっては明白である。
【００２０】
方法の工程の順序及び構成要素の構造をここに提供するが、これらは例示を目的とし、本開示を限定することを意図しない。以下の技術の詳細な説明は、例示と説明を目的として提示する。以下の説明は、網羅的あるいは技術を厳密な開示形態に限定することを意図しない。以上の認識を踏まえて、多くの変更またはバリエーションが可能である。記載した実施の形態は、技術の原則及びその実際の応用を説明する上で最適なものとして選択したものであり、当業者は種々の実施の形態及び種々の変更で本技術を利用して意図した特定使用目的に合致するよう構成することができる。本技術の範囲は、添付の特許請求の範囲に定義されるものとする。
【００２１】
本開示の各実施の形態に係る通信システムは、ユーザ機器１００、基地局２００及び基地局３００を備える。ユーザ機器１００は、デュアルコネクティビティを実行可能である。
【００２２】
デュアルコネクティビティ時、ユーザ機器１００は、より多くのリソースを利用するために２つの通信ネットワーク（ここでは、基地局２００及び基地局３００）に接続される場合がある。なお、通信ネットワークは基地局２００、３００に代表されるが、基地局に限定されない。
【００２３】
また、以下で説明する基地局２００、３００は、一例として、ＬＴＥ−ＮＲネットワークデュアルコネクティビティの基地局である。すなわち、基地局２００及び基地局３００の何れか一方がＬＴＥセルを構成し、他方がＮＲセルを構成する。ただし、本開示は、ＬＴＥ−ＮＲデュアルコネクティビティに限定されない。ここに開示された実施の形態は、デュアルコネクティビティをサポートするいかなる好適な通信システムにおいても実現できる。
【００２４】
また、上述したように、ＵＲＬＬＣは、超高信頼性及び低遅延通信であり、多くのＭＴＣアプリケーション及びミッションクリティカルなサービスにとって必須の特徴である。また、ＵＲＬＬＣは、ＵＲＬＬＣ以外のｅＭＢＢ、ｍＭＴＣなどの他の通信サービス、または、ＵＲＬＬＣとは無関係の他のサービスにとっても必須の特徴である。なお、本開示において、ＵＲＬＬＣ以外の通信サービスは、ｅＭＢＢ、ｍＭＴＣに限定されず、ＵＲＬＬＣ以外の他の通信サービスであればよい。
【００２５】
本実施の形態では、デュアルコネクティビティ実行中におけるＵＲＬＬＣに対する上り送信電力の制御方法（割当方法）について詳細に説明する。
【００２６】
図１は、本開示の実施の形態に係るユーザ機器１００の一部の構成を示すブロック図である。図１に示すユーザ機器１００は、通信ネットワークにおいてデュアルコネクティビティを実行可能なユーザ機器である。ユーザ機器１００において、無線インターフェース回路４００は、２つの通信ネットワーク（基地局２００及び基地局３００）と同時通信する。なお、２つの通信ネットワークの何れか一方でＵＲＬＬＣ（超高信頼性、低遅延通信）が運用される。制御回路５００は、一方の通信ネットワークに対してＵＲＬＬＣ送信が必要であり、２つの通信ネットワークの他方の通信ネットワークではＵＲＬＬＣが運用されていないと判断する。この場合、制御回路５００は、ＵＲＬＬＣ送信が必要な一方の通信ネットワークに対するＵＲＬＬＣの送信のために、一方の通信ネットワークの第１の予約電力、及び、ＵＲＬＬＣが運用されていない他方の通信ネットワークの第２の予約電力を利用することを決定する。そして、無線インターフェース回路４００は、第１の予約電力及び第２の予約電力を用いて、一方の通信ネットワークでＵＲＬＬＣの信号を送信する。
【００２７】
図２Ａは、本開示の実施の形態に係る基地局２００及び３００に接続されたユーザ機器１００のブロック図の一例を示す。
【００２８】
図２Ａに示すユーザ機器１００は、無線インターフェース回路４００及び制御回路５００を含む。
【００２９】
また、無線インターフェース回路４００は、受信機インターフェース回路４００ａ及び送信機インターフェース回路４００ｂを備える。
【００３０】
ユーザ機器１００は、無線インターフェース回路４００を介して、基地局２００及び基地局３００に同時に接続される。すなわち、ユーザ機器１００は、基地局２００及び基地局３００とデュアルコネクティビティを実行する。
【００３１】
すなわち、無線インターフェース回路４００は、２つの通信ネットワーク（基地局２００及び基地局３００）と同時通信を行う。具体的には、受信機インターフェース回路４００ａは、基地局２００または基地局３００から送信される下り信号を受信する。また、送信機インターフェース回路４００ｂは、基地局２００または基地局３００への上り信号を送信する。
【００３２】
ユーザ機器１００において、上り送信時の最大電力は、ユーザ機器（無線インターフェイス回路４００等）のＲＦ（Radio Frequency）性能によって限定される。本実施の形態によれば、ユーザ機器１００には、図２Ｂ（Beforeを参照）に示すように、ＬＴＥ及びＮＲのいずれに対してもそれぞれ上り送信用予約電力（reserved power）が割り当てられる。
【００３３】
図２Ｂによれば、PLTE Reserved + NR Reserved≦ PMax URLLC requied Powerの関係を満たす。例えば、PLTE Reserved + NR Reserved = PLTE Reserved + PNR Reservedである。ここで、PLTE Reservedは、ＬＴＥセルに対する上り送信用に割り当てられた予約電力（LTE reserved power）であり、PNR Reservedは、ＮＲセルに対する上り送信用に割り当てられた予約電力（NR reserved power）である。予約電力は、ＵＲＬＬＣ送信に必要な最大電力であるPMax URLLC required Power以下となるように割り当てられる。予約電力は、基地局（基地局２００または基地局３００）によってユーザ機器１００にシグナリングされる。本開示は、予約電力を動的に設定するオプションに限定されず、予約電力は、準静的にシグナリングすることができる。さらに、本実施の形態は、他の方法あるいは設定方法、及び予約電力の送信にも適用できる。
【００３４】
また、ユーザ機器１００において、制御回路５００は、送信判定回路５００ａ及び電力レベル判定回路５００ｂを備える。
【００３５】
ユーザ機器１００の送信判定回路５００ａは、ＮＲセルでのＵＲＬＬＣの上り送信が必要であり、かつ、ＵＲＬＬＣ以外の通信がＬＴＥセルで運用されているか否かを判断する。なお、ＵＲＬＬＣにおける上り信号（以下、ＵＲＬＬＣ信号と呼ぶこともある）は、ＵＲＬＬＣ制御情報及び／またはＵＲＬＬＣデータ情報を含めてもよい。
【００３６】
電力レベル判定回路５００ｂは、送信判定回路５００ａがＮＲセルでのＵＲＬＬＣの上り送信が必要であり、ＵＲＬＬＣ以外の通信がＬＴＥセルで運用されていると判断した場合に、ＮＲセルでのＵＲＬＬＣの上り送信に使用する電力を判定する。この場合、電力レベル判定回路５００ｂは、図２Ｂ（Afterを参照）に示すように、ＮＲセルでのＵＲＬＬＣ送信用に、ＮＲの予約電力に加え、ＬＴＥの予約電力を利用することを決定する。この場合、送信機インターフェース回路４００ｂは、図２Ｂ（Afterを参照）に示すように、ＮＲの予約電力及びＬＴＥの予約電力を用いて（つまり、双方の予約電力をＮＲの予約電力として用いて）、ＮＲセルに対してＵＲＬＬＣ信号を送信する。
【００３７】
このように、ユーザ機器１００は、ＬＴＥ−ＮＲデュアルコネクティビティにおいて、ＮＲセルでＵＲＬＬＣを行い、かつ、ＬＴＥセルでＵＲＬＬＣが運用されていない場合、ＮＲセルに対するＵＲＬＬＣ送信のために、ＮＲの予約電力及びＬＴＥの予約電力を利用する。すなわち、ユーザ機器１００は、ＵＲＬＬＣに対して、ＬＴＥの予約電力及びＮＲの予約電力を共有する。換言すると、ユーザ機器１００において、ＵＲＬＬＣに対する電力利用が他の通信（ここではＬＴＥ）よりも優先され、ＵＲＬＬＣ送信時には当該他の通信に対して予約電力が保障されない。
【００３８】
これにより、ＮＲでのＵＲＬＬＣ送信において電力利用を最大化することができ、低遅延でより効率的に実行される。その結果、重要な情報を搬送するＵＲＬＬＣ送信は、効率的な電力の共有及び利用によって、より確実に実行される。
【００３９】
なお、図２Ａに示す構成に加えて、ユーザ機器１００、基地局２００及び基地局３００は、従来の動作を実行するためにさらにいくつかの従来回路を備えてもよい。
【００４０】
図３は、本開示の実施の形態に係るユーザ機器１００及び基地局２００、３００間の上り送信用の電力利用のフローチャートの一例を示す図である。
【００４１】
ＳＴ２０１では、図２に示すように、ユーザ機器１００（ＵＥ）は、基地局２００及び基地局３００の双方に同時に接続される。すなわち、ユーザ機器１００は、ＬＴＥ−ＮＲデュアルコネクティビティを実行する。
【００４２】
ＳＴ２０２において、ユーザ機器１００は、ＮＲセル（つまり、一方の通信ネットワーク）におけるＵＲＬＬＣの運用（上り送信）の必要性を判断する。ここでは、ユーザ機器１００は、ＮＲセルにおけるＵＲＬＬＣの上り送信が必要であると判断している。
【００４３】
ＳＴ２０３において、ユーザ機器１００は、ＵＲＬＬＣが他の通信ネットワークで運用されているか否かを判断する。換言すると、ユーザ機器１００は、ＵＲＬＬＣ以外の通信が他の通信ネットワーク（ここではＬＴＥセル）で運用されているか否かを判断する。つまり、ＳＴ２０２，ＳＴ２０３において、ユーザ機器１００は、ＮＲセルでのＵＲＬＬＣの上り送信が必要であり、かつ、ＬＴＥセルでＵＲＬＬＣが運用されていないか否かを判断する。
【００４４】
ＵＲＬＬＣが他の通信ネットワークで運用されている場合（ＳＴ２０３：Ｙｅｓ）、ＳＴ２０４において、ユーザ機器１００は、各通信ネットワーク（ＮＲセル及びＬＴＥセル）に対して割り当てられた予約電力（図２ＢのBeforeを参照）を、各通信ネットワークにおけるＵＲＬＬＣ送信に利用する。つまり、ＳＴ２０４では、ユーザ機器１００は、２つの通信ネットワークの双方に対してＵＲＬＬＣ送信が必要であると判断し、各通信ネットワークの各々に対するＵＲＬＬＣ送信のために、他の通信ネットワークの予約電力を利用せずに、２つの通信ネットワークのそれぞれの予約電力を利用することを決定する。
【００４５】
一方、ＵＲＬＬＣが他の通信ネットワークで運用されていない場合（ＳＴ２０３：Ｎｏ）、ＳＴ２０５において、ユーザ機器１００は、ＵＲＬＬＣ送信用の上り送信電力を最大化するために、ＮＲでのＵＲＬＬＣ送信用に、ＵＲＬＬＣ送信が必要であるＮＲの予約電力に加え、ＵＲＬＬＣが運用されていないＬＴＥの予約電力を利用することを決定する（例えば、図２ＢのAfterを参照）。すなわち、ＳＴ２０５では、通信ネットワークの一方でＵＲＬＬＣが運用されるので、ユーザ機器１００は、各通信ネットワークのそれぞれの予約電力を、ＵＲＬＬＣが運用される一方の通信ネットワークで共有すると判断する。
【００４６】
そしてＳＴ２０６では、ユーザ機器１００は、少なくとも、ＮＲセルでＵＲＬＬＣ信号を送信する。
【００４７】
このように、本実施の形態によれば、ユーザ機器１００は、デュアルコネクティビティによって同時通信する通信ネットワーク（セルグループ）の何れか１つでＵＲＬＬＣが運用され、他の通信ネットワークでＵＲＬＬＣが運用されない場合、ＵＲＬＬＣ信号を送信するために、双方の通信ネットワークの予約電力を共有（利用）する。こうすることで、ＵＲＬＬＣの上り送信は強化され、超高信頼性及び低遅延通信が達成できる。
【００４８】
なお、ＬＴＥの通信は、一般的に、ＵＲＬＬＣがサポートされず、ｅＭＢＢとして分類されることもある。この場合、例えば、図３のＳＴ２０３では、ＵＲＬＬＣが他のネットワーク（ＬＴＥセル）で運用されていると判断されることはない。そこで、ＬＴＥでＵＲＬＬＣがサポートされない場合には、ユーザ機器１００は、ＬＴＥ−ＮＲデュアルコネクティビティの実行中には、図３のＳＴ２０２の処理の後に、ＳＴ２０３及びＳＴ２０４の処理を行わずに、ＳＴ２０５、ＳＴ２０６の処理を行ってもよい。なお、ＵＲＬＬＣサービスがＬＴＥでも運用される場合の動作については変形例２でも詳細に説明する。
【００４９】
（変形例１）
ＵＲＬＬＣの上り送信は、ＵＲＬＬＣの制御情報の送信の場合がある。制御情報は、基地局（基地局２００，３００）に対して最も重要な情報を搬送するので、基地局は、ＵＲＬＬＣの制御情報を、上記実施の形態のように低遅延で確実に受信し、ＵＲＬＬＣのデータを効率的に復号する必要がある。なお、ＵＲＬＬＣデータに関しては、ＨＡＲＱプロセスが適用できる。
【００５０】
また、ＵＲＬＬＣの上り送信は、スケジューリング要求（ＳＲ：Scheduling Request）またはＨＡＲＱ−ＡＣＫ／ＮＡＣＫ（応答信号）を含むＵＲＬＬＣ制御情報の送信の場合がある。制御情報は、基地局（基地局２００，３００）に対して最も重要な情報を搬送するので、基地局は、少なくとも、スケジューリング要求（ＳＲ）またはＨＡＲＱ−ＡＣＫ／ＮＡＣＫを搬送するＵＲＬＬＣの制御情報を、上記実施の形態のように低遅延で確実に受信することによって、ＵＲＬＬＣのデータを効率的に復号する。なお、ＳＲ及びＨＡＲＱ−ＡＣＫ／ＮＡＣＫ以外の他のＵＲＬＬＣ制御情報、及び、ＵＲＬＬＣのデータに関しては、ＨＡＲＱプロセスが適用される場合がある。
【００５１】
（変形例２）
図２Ａ、図３に示した上記実施の形態（ＬＴＥ−ＮＲデュアルコネクティビティ）は、他のデュアルコネクティビティ通信ネットワークでも適用できる。変形例２では、デュアルコネクティビティの様々な形態について一例として説明する。
【００５２】
なお、以下の説明では、デュアルコネクティビティを実行するユーザ端末１００が同時接続する基地局２００，３００のうち、ＭｅＮＢまたはマスタセルグループ（ＭＣＧ）を単に「マスタ（master）」と呼び、ＳｅＮＢまたはセカンダリセルグループ（ＳＣＧ）を単に「セカンダリ（secondary）」と呼ぶ。
【００５３】
ここで、デュアルコネクティビティの形態として、(i)ＮＲセルがマスタであり、ＬＴＥセルがセカンダリである場合、(ii)ＮＲセルがセカンダリであり、ＬＴＥセルがマスタである場合、(iii)ＮＲセルがマスタであり、ＮＲセルがセカンダリである場合（ＮＲ−ＮＲデュアルコネクティビティ）、(iv)ＬＴＥセルがマスタであり、ＬＴＥセルがセカンダリである場合（ＬＴＥ−ＬＴＥデュアルコネクティビティ）等がある。
【００５４】
また、ＵＲＬＬＣはマスタまたはセカンダリで運用される。上述したように、ＵＲＬＬＣ送信の場合、ユーザ機器１００は、ＵＲＬＬＣが運用される通信ネットワークにおいて、ＵＲＬＬＣ以外の通信が運用される他の通信ネットワークの予約電力を利用（共有）することができる。
【００５５】
また、ＵＲＬＬＣサービスは、ＮＲにおいて現在検討されている通信サービスである。しかし、将来、ＵＲＬＬＣサービスはＬＴＥでも運用されることが考えられる。したがって、本開示では、ＬＴＥでＵＲＬＬＣサービスが運用されるようなシナリオでの電力利用についても扱う。
【００５６】
以下、一例として、上述したケース(i)〜(iv)のデュアルコネクティビティにおける電力利用方法について説明する。
【００５７】
［ケース(i)（図４Ａ、図４Ｂ）］
ケース(i)では、ＬＴＥ−ＮＲデュアルコネクティビティにおいて、ＮＲセルはマスタ（「ＮＲマスタ」と呼ぶ）として設定され、ＬＴＥセルはセカンダリ（「ＬＴＥセカンダリ」と呼ぶ）として設定される。
【００５８】
図２Ａと同様の構成を有するユーザ機器１００は、ＮＲマスタ及びＬＴＥセカンダリの両方に同時に接続される。ユーザ機器１００の上り送信時の最大電力は、ユーザ機器１００のＲＦ性能に限定される。ここでは、上記実施の形態と同様、ユーザ機器１００には、ＬＴＥ及びＮＲそれぞれに対して上り送信用の予約電力が割り当てられる（図４ＡのBeforeを参照）。
【００５９】
ここで、ユーザ機器１００（送信判定回路５００ａ）は、ＮＲマスタでＵＲＬＬＣの上り送信が必要であると判断し、ＬＴＥセカンダリでＵＲＬＬＣ以外の通信が運用されていると判断する（つまり、図３のＳＴ２０３：Ｎｏ）。なお、ＵＲＬＬＣ信号は、ＵＲＬＬＣ制御情報及び／またはＵＲＬＬＣデータ情報を含めてもよい。
【００６０】
ユーザ機器１００（電力レベル判定回路５００ｂ）は、送信判定回路５００ａがＮＲマスタでのＵＲＬＬＣ上り送信が必要であり、ＬＴＥセカンダリでＵＲＬＬＣ以外の通信が運用されていると判断した場合、ＮＲマスタにおいてＵＲＬＬＣの上り送信に使用する電力を決定する。具体的には、電力レベル判定回路５００ｂは、ＮＲマスタでのＵＲＬＬＣ送信のために、ＮＲマスタの予約電力に加え、ＬＴＥセカンダリの予約電力を利用することを決定する（図３のＳＴ２０５）（図４ＡのAfterを参照）。ユーザ機器１００（送信機インターフェース回路４００ｂ）は、ＮＲマスタの予約電力及びＬＴＥセカンダリの予約電力を用いて、ＮＲマスタでＵＲＬＬＣ信号を送信する。
【００６１】
図４Ａに示すように、ユーザ機器１００がＮＲマスタでのＵＲＬＬＣ送信時にＬＴＥセカンダリの予約電力を利用できるので、低遅延で電力利用を最大化することによって、ＮＲマスタでのＵＲＬＬＣは効率的に実行される。その結果、重要な情報を搬送するＵＲＬＬＣ送信は、効率的な電力の共有と利用によって、より確実に実行される。
【００６２】
次に、ケース(i)の別の形態として、ユーザ機器１００（送信判定回路５００ａ）は、ＬＴＥセカンダリでＵＲＬＬＣの上り送信が必要であると判断し、ＮＲでＵＲＬＬＣ以外の通信が運用されていると判断する。
【００６３】
ユーザ機器１００（電力レベル判定回路５００ｂ）は、送信判定回路５００ａがＬＴＥセカンダリでＵＲＬＬＣの上り送信が必要であり、ＮＲマスタでＵＲＬＬＣ以外の通信が運用されていると判断した場合、ＬＴＥセカンダリにおいてＵＲＬＬＣの上り送信に使用する電力を決定する。具体的には、電力レベル判定回路５００ｂは、ＬＴＥセカンダリでのＵＲＬＬＣ送信のために、ＬＴＥセカンダリの予約電力に加え、ＮＲマスタの予約電力を利用することを決定する（図４ＢのAfterを参照）。ユーザ機器１００（送信機インターフェース回路４００ｂ）は、ＬＴＥセカンダリの予約電力及びＮＲマスタの予約電力を用いて、ＬＴＥセカンダリでＵＲＬＬＣを送信する。
【００６４】
図４Ｂに示すように、ユーザ機器１００がＬＴＥセカンダリでのＵＲＬＬＣ送信時にＮＲマスタの予約電力を利用できるので、低遅延で電力利用を最大化することによって、ＬＴＥセカンダリでのＵＲＬＬＣは効率的に実行される。その結果、重要な情報を搬送するＵＲＬＬＣ送信は、効率的な電力の共有と利用によって、より確実に実行される。
【００６５】
［ケース(ii)（図４Ｃ、図４Ｄ）］
ケース(ii)では、ＬＴＥ−ＮＲデュアルコネクティビティにおいて、ＮＲセルはセカンダリ（「ＮＲセカンダリ」と呼ぶ）として設定され、ＬＴＥはマスタ（「ＬＴＥマスタ」と呼ぶ）として設定される。
【００６６】
図２Ａと同様の構成を有するユーザ機器１００は、ＮＲセカンダリ及びＬＴＥマスタの両方に同時に接続される。ユーザ機器１００の上り送信時の最大電力は、ユーザ機器１００のＲＦ性能に限定される。ここでは、上記実施の形態と同様、ユーザ機器１００には、ＬＴＥ及びＮＲそれぞれに対して上り送信用の予約電力が割り当てられる（図４ＣのBeforeを参照）。
【００６７】
ここで、ユーザ機器１００（送信判定回路５００ａ）は、ＬＴＥマスタでＵＲＬＬＣの上り送信が必要であると判断し、ＮＲセカンダリでＵＲＬＬＣ以外の通信が運用されていると判断する（つまり、図３のＳＴ２０３：Ｎｏ）。なお、ＵＲＬＬＣ信号は、ＵＲＬＬＣ制御情報及び／またはＵＲＬＬＣデータ情報を含めてもよい。
【００６８】
ユーザ機器１００（電力レベル判定回路５００ｂ）は、送信判定回路５００ａがＬＴＥマスタでのＵＲＬＬＣ上り送信が必要であり、ＮＲセカンダリでＵＲＬＬＣ以外の通信が運用されていると判断した場合、ＬＴＥマスタにおいてＵＲＬＬＣの上り送信に使用する電力を決定する。具体的には、電力レベル判定回路５００ｂは、ＬＴＥマスタでのＵＲＬＬＣ送信のために、ＬＴＥマスタの予約電力に加え、ＮＲセカンダリの予約電力を利用することを決定する（図３のＳＴ２０５）（図４ＣのAfterを参照）。ユーザ機器１００（送信機インターフェース回路４００ｂ）は、ＬＴＥマスタの予約電力及びＮＲセカンダリの予約電力を用いて、ＬＴＥマスタでＵＲＬＬＣ信号を送信する。
【００６９】
図４Ｃに示すように、ユーザ機器１００がＬＴＥマスタでのＵＲＬＬＣ送信時にＮＲセカンダリの予約電力を利用できるので、低遅延で電力利用を最大化することによってＬＴＥマスタでのＵＲＬＬＣは効率的に実行される。その結果、重要な情報を搬送するＵＲＬＬＣ送信は、効率的な電力の共有と利用によって、より確実に実行される。
【００７０】
次に、ケース(ii)の別の形態として、ユーザ機器１００（送信判定回路５００ａ）は、ＮＲセカンダリでＵＲＬＬＣの上り送信が必要であると判断し、ＬＴＥマスタでＵＲＬＬＣ以外の通信が運用されていると判断する。
【００７１】
ユーザ機器１００（電力レベル判定回路５００ｂ）は、送信判定回路５００ａがＮＲセカンダリでのＵＲＬＬＣ上り送信が必要であり、ＬＴＥマスタでＵＲＬＬＣ以外の通信が運用されていると判断した場合、ＮＲセカンダリにおいてＵＲＬＬＣの上り送信に使用する電力を決定する。具体的には、電力レベル判定回路５００ｂは、ＮＲセカンダリでのＵＲＬＬＣ送信のために、ＮＲセカンダリの予約電力に加え、ＬＴＥマスタの予約電力を利用することを決定する（図４ＤのAfterを参照）。ユーザ機器１００（送信機インターフェース回路４００ｂ）は、ＮＲセカンダリの予約電力及びＬＴＥマスタの予約電力を用いて、ＮＲセカンダリでＵＲＬＬＣ信号を送信する。
【００７２】
図４Ｄに示すように、ユーザ機器１００がＮＲセカンダリでのＵＲＬＬＣ送信時にＬＴＥマスタの予約電力を利用できるので、低遅延で電力利用を最大化することによって、ＮＲセカンダリでのＵＲＬＬＣは効率的に実行される。その結果、重要な情報を搬送するＵＲＬＬＣ送信は、効率的な電力の利用によって、より確実に実行される。
【００７３】
［ケース(iii)（図５Ａ、図５Ｂ）］
ケース(iii)では、ＮＲ−ＮＲデュアルコネクティビティにおいて、ＮＲ１セルはマスタ（「ＮＲ１マスタ」と呼ぶ）として設定され、ＮＲ２セルはセカンダリ（「ＮＲ２セカンダリ」と呼ぶ）として設定される。
【００７４】
図２Ａと同様の構成を有するユーザ機器１００は、ＮＲ１マスタ及びＮＲ２セカンダリの両方に同時に接続される。ユーザ機器１００の上り送信時の最大電力は、ユーザ機器１００のＲＦ性能に限定される。ここでは、上記実施の形態と同様、ユーザ機器１００には、ＮＲ１及びＮＲ２それぞれに対して上り送信用の予約電力が割り当てられる（図５ＡのBeforeを参照）。
【００７５】
ここで、ユーザ機器１００（送信判定回路５００ａ）は、ＮＲ１マスタでＵＲＬＬＣの上り送信が必要であると判断し、ＮＲ２セカンダリでＵＲＬＬＣ以外の通信が運用されていると判断する（つまり、図３のＳＴ２０３：Ｎｏ）。なお、ＵＲＬＬＣ信号は、ＵＲＬＬＣ制御情報及び／またはＵＲＬＬＣデータ情報を含めてもよい。
【００７６】
ユーザ機器１００（電力レベル判定回路５００ｂ）は、送信判定回路５００ａがＮＲ１マスタでのＵＲＬＬＣ上り送信が必要であり、ＮＲ２セカンダリでＵＲＬＬＣ以外の通信が運用されていると判断した場合、ＮＲ１マスタにおいてＵＲＬＬＣの上り送信に使用する電力を決定する。具体的には、電力レベル判定回路５００ｂは、ＮＲ１マスタでのＵＲＬＬＣ送信のために、ＮＲ１マスタの予約電力に加え、ＮＲ２セカンダリの予約電力を利用することを決定する（図３のＳＴ２０５）（図５ＡのAfterを参照）。ユーザ機器１００（送信機インターフェース回路４００ｂ）は、ＮＲ１マスタの予約電力及びＮＲ２セカンダリの予約電力を用いて、ＮＲ１マスタでＵＲＬＬＣ信号を送信する。
【００７７】
図５Ａに示すように、ユーザ機器１００がＮＲ１でのＵＲＬＬＣ送信時にＮＲ２セカンダリの予約電力を利用できるので、低遅延で電力利用を最大化することによってＮＲ１マスタでのＵＲＬＬＣは効率的に実行される。その結果、重要な情報を搬送するＵＲＬＬＣ送信は、効率的な電力の共有と利用によって、より確実に実行される。
【００７８】
次に、ケース(iii)の別の形態として、ユーザ機器１００（送信判定回路５００ａ）は、ＮＲ２セカンダリでのＵＲＬＬＣ上り送信が必要であり、ＮＲ１マスタでＵＲＬＬＣ以外の通信が運用されていると判断する。この場合、ユーザ機器１００（電力レベル判定回路５００ｂ）は、ＮＲ２セカンダリでのＵＲＬＬＣ送信のために、ＮＲ２セカンダリの予約電力に加え、ＮＲ１マスタの予約電力を利用することを決定する（図５ＢのAfterを参照）。ユーザ機器１００（送信機インターフェース回路４００ｂ）は、ＮＲ２セカンダリの予約電力及びＮＲ１マスタの予約電力を用いて、ＮＲ２セカンダリでＵＲＬＬＣ信号を送信する。
【００７９】
図５Ｂに示すように、ユーザ機器１００がＮＲ２セカンダリでのＵＲＬＬＣ送信時にＮＲ１マスタの予約電力を利用できるので、低遅延で電力利用を最大化することによってＮＲ２セカンダリでのＵＲＬＬＣは効率的に実行される。その結果、重要な情報を搬送するＵＲＬＬＣ送信は、効率的な電力の利用によって、より確実に実行される。
【００８０】
このように、ＮＲ−ＮＲデュアルコネクティビティにおいて、基地局２００及び基地局３００はＮＲ１及びＮＲ２である。また、ＮＲ１がマスタで、ＮＲ２がセカンダリ、またはその逆である。また、ＵＲＬＬＣはマスタ及びセカンダリの何れかで運用される。ＵＲＬＬＣ送信時、ユーザ機器１００は、ＵＲＬＬＣの送信電力として、ＵＲＬＬＣ以外の通信が運用される他の通信ネットワークの予約電力を利用できる。
【００８１】
［ケース(iv)（図６Ａ、図６Ｂ）］
ケース(iv)では、ＬＴＥ−ＬＴＥデュアルコネクティビティにおいて、ＬＴＥ１セルはマスタ（「ＬＴＥ１マスタ」と呼ぶ）として設定され、ＬＴＥ２セルはセカンダリ（「ＬＴＥ２セカンダリ」と呼ぶ）として設定される。
【００８２】
図２Ａと同様の構成を有するユーザ機器１００は、ＬＴＥ１マスタ及びＬＴＥ２セカンダリに同時に接続される。ユーザ機器１００の上り送信時の最大電力は、ユーザ機器１００のＲＦ性能に限定される。ここでは、上記実施の形態と同様、ユーザ機器１００には、ＬＴＥ１及びＬＴＥ２それぞれに対して上り送信用の予約電力が割り当てられる（図６ＡのBeforeを参照）。
【００８３】
ここで、ユーザ機器１００（送信判定回路５００ａ）は、ＬＴＥ１マスタでＵＲＬＬＣの上り送信が必要であると判断し、ＬＴＥ２セカンダリでＵＲＬＬＣ以外の通信が運用されていると判断する（つまり、図３のＳＴ２０３：Ｎｏ）。なお、ＵＲＬＬＣ信号は、ＵＲＬＬＣ制御情報及び／またはＵＲＬＬＣデータ情報を含めてもよい。
【００８４】
ユーザ機器１００（電力レベル判定回路５００ｂ）は、送信判定回路５００ａがＬＴＥ１マスタでのＵＲＬＬＣの上り送信が必要であり、ＬＴＥ２セカンダリでＵＲＬＬＣ以外の通信が運用されていると判断した場合、ＬＴＥ１マスタにおいてＵＲＬＬＣの上り送信に使用する電力を決定する。具体的には、電力レベル判定回路５００ｂは、ＬＴＥ１マスタでのＵＲＬＬＣ送信のために、ＬＴＥ１マスタの予約電力に加え、ＬＴＥ２セカンダリの予約電力を利用することを決定する（図３のＳＴ２０５）（図６ＡのAfterを参照）。ユーザ機器１００（送信機インターフェース回路４００ｂ）は、ＬＴＥ１マスタの予約電力及びＬＴＥ２セカンダリの予約電力を用いて、ＬＴＥ１マスタでＵＲＬＬＣ信号を送信する。
【００８５】
図６Ａに示すように、ユーザ機器１００がＬＴＥ１マスタでのＵＲＬＬＣ送信時にＬＴＥ２セカンダリの予約電力を利用できるので、低遅延で電力利用を最大化することによってＬＴＥ１マスタでのＵＲＬＬＣ送信は効率的に実行される。その結果、重要な情報を搬送するＵＲＬＬＣ送信は、効率的な電力の共有と利用によって、より確実に実行される。
【００８６】
次に、ケース(iv)の別の形態として、ユーザ機器１００（送信判定回路５００ａ）は、ＬＴＥ２セカンダリでのＵＲＬＬＣ上り送信が必要であり、ＬＴＥ１マスタでＵＲＬＬＣ以外の通信が運用されていると判断する。この場合、ユーザ機器１００（電力レベル判定回路５００ｂ）は、ＬＴＥ２セカンダリでのＵＲＬＬＣ送信のために、ＬＴＥ２セカンダリの予約電力に加え、ＬＴＥ１マスタの予約電力を利用することを決定する（図６ＢのAfterを参照）。ユーザ機器１００（送信機インターフェース回路４００ｂ）は、ＬＴＥ２セカンダリの予約電力及びＬＴＥ１マスタの予約電力を用いて、ＬＴＥ２セカンダリでＵＲＬＬＣ信号を送信する。
【００８７】
図６Ｂに示すように、ユーザ機器１００がＬＴＥ２セカンダリでのＵＲＬＬＣ送信時にＬＴＥ１マスタの予約電力を利用できるので、低遅延で電力利用を最大化することによってＬＴＥ２セカンダリでのＵＲＬＬＣは効率的に実行される。その結果、重要な情報を搬送するＵＲＬＬＣ送信は、効率的な電力の共有と利用によってより確実に実行される。
【００８８】
このように、ＬＴＥ−ＬＴＥデュアルコネクティビティにおいて、基地局２００及び基地局３００はＬＴＥ１及びＬＴＥ２である。また、ＬＴＥ１がマスタで、ＬＴＥ２がセカンダリ、またはその逆である。また、ＵＲＬＬＣはマスタ及びセカンダリのいずれかで運用される。ＵＲＬＬＣ送信時、ユーザ機器１００は、ＵＲＬＬＣの送信電力として、ＵＲＬＬＣ以外の通信が運用される他の通信ネットワークの予約電力を利用できる。
【００８９】
［変形例３］
変形例３では、デュアルコネクティビティにおいてユーザ機器１００と接続する基地局１００及び基地局２００の双方に対してＵＲＬＬＣの上り送信が必要である場合（つまり、図３のＳＴ２０３：Ｙｅｓ）について説明する。
【００９０】
以下、一例として、ケース(v)ＮＲセルがマスタであり、ＮＲセルがセカンダリである場合（ＮＲ−ＮＲデュアルコネクティビティ）、ケース(vi)ＬＴＥセルがマスタであり、ＬＴＥセルがセカンダリである場合（ＬＴＥ−ＬＴＥデュアルコネクティビティ）、及び、ケース(vii)ＮＲセルがマスタであり、ＬＴＥセルがセカンダリである場合（ＬＴＥ−ＮＲデュアルコネクティビティ）について説明する。
【００９１】
［ケース(v)（図７）］
ケース(v)では、ＮＲ−ＮＲデュアルコネクティビティにおいて、ＮＲ１セルはマスタ（ＮＲ１マスタ）として設定され、ＮＲ２はセカンダリ（ＮＲ２セカンダリ）として設定される。
【００９２】
図２Ａと同様の構成を有するユーザ機器１００は、ＮＲ１マスタ及びＮＲ２セカンダリに同時に接続される。ユーザ機器１００の上り送信時の最大電力は、ユーザ機器１００のＲＦ性能に限定される。ここでは、上記実施の形態と同様、ユーザ機器１００には、ＮＲ１及びＮＲ２それぞれに対して上り送信用の予約電力が割り当てられる（図７のBeforeを参照）。
【００９３】
ここで、ユーザ機器１００（送信判定回路５００ａ）は、ＮＲ１マスタ及びＮＲ２セカンダリの双方でＵＲＬＬＣの上り送信が必要であると判断する。なお、ＵＲＬＬＣ信号は、ＵＲＬＬＣ制御情報及び／またはＵＲＬＬＣデータ情報を含めてもよい。
【００９４】
この場合、ユーザ機器１００（電力レベル判定回路５００ｂ）は、ＮＲ１マスタ及びＮＲ２セカンダリでのＵＲＬＬＣの上り送信に使用する電力を決定する（図３のＳＴ２０４）。具体的には、電力レベル判定回路５００ｂは、他の通信ネットワークの予約電力を利用せずに、ＮＲ１マスタ及びＮＲ２セカンダリのそれぞれの予約電力をＮＲ１マスタ及びＮＲ２セカンダリのぞれぞれのＵＲＬＬＣ送信に利用することを決定する（図７のAfterを参照）。ユーザ機器１００（送信機インターフェース回路４００ｂ）は、ＮＲ１マスタ及びＮＲ２セカンダリの各々の予約電力を用いて、ＮＲ１マスタ及びＮＲ２セカンダリの双方でＵＲＬＬＣ信号をそれぞれ送信する。
【００９５】
図７に示すように、ユーザ機器１００がＮＲ１マスタ及びＮＲ２セカンダリのそれぞれの予約電力を利用できるので、ＵＲＬＬＣ送信は効率的に電力を利用して低遅延で実行される。
【００９６】
なお、ケース(v)のＮＲ−ＮＲデュアルコネクティビティにおいて、ＮＲ１がセカンダリ（ＮＲ１セカンダリ）として設定され、ＮＲ２がマスタ（ＮＲ２マスタ）として設定されてもよい（図示せず）。この場合も、上記同様、ユーザ機器１００は、ＮＲ１マスタ及びＮＲ２セカンダリでのＵＲＬＬＣ上り送信が必要であると判断した場合、ＮＲ１セカンダリ及びＮＲ２マスタでのＵＲＬＬＣの上り送信に使用する電力を決定する。すなわち、ユーザ機器１００は、図７と同様、ＮＲ１セカンダリ及びＮＲ２マスタそれぞれの予約電力を、ＮＲ１セカンダリ及びＮＲ２マスタの各々のＵＲＬＬＣ送信に利用することを決定する。これにより、ユーザ機器１００がＮＲ１セカンダリ及びＮＲ２マスタの予約電力を利用できるので、ＵＲＬＬＣ送信は効率的に電力を利用して低遅延で実行される。
【００９７】
［ケース(vi)（図８）］
ケース(vi)では、ＬＴＥ−ＬＴＥデュアルコネクティビティにおいて、ＬＴＥ１セルはマスタ（ＬＴＥ１マスタ）として設定され、ＬＴＥ２セルはセカンダリ（ＬＴＥ２セカンダリ）として設定される。
【００９８】
図２Ａと同様の構成を有するユーザ機器１００は、ＬＴＥ１マスタ及びＬＴＥ２セカンダリの両方に同時に接続される。ユーザ機器１００の上り送信時の最大電力は、ユーザ機器１００のＲＦ性能に限定される。ここでは、上記実施の形態と同様、ユーザ機器１００には、ＬＴＥ１及びＬＴＥ２それぞれに対して上り送信用の予約電力が割り当てられる（図８のBeforeを参照）。
【００９９】
ここで、ユーザ機器１００（送信判定回路５００ａ）は、ＬＴＥ１マスタ及びＬＴＥ２セカンダリの双方でＵＲＬＬＣの上り送信が必要であると判断する。なお、ＵＲＬＬＣ信号は、ＵＲＬＬＣ制御情報及び／またはＵＲＬＬＣデータ情報を含めてもよい。
【０１００】
この場合、ユーザ機器１００（電力レベル判定回路５００ｂ）は、ＬＴＥ１マスタ及びＬＴＥ２セカンダリにおいてＵＲＬＬＣの上り送信に使用する電力を決定する（図３のＳＴ２０４）。具体的には、電力レベル判定回路５００ｂは、他の通信ネットワークの予約電力を利用せずに、ＬＴＥ１マスタ及びＬＴＥ２セカンダリのそれぞれの予約電力をＬＴＥ１マスタ及びＬＴＥ２セカンダリのそれぞれのＵＲＬＬＣ送信に利用することを決定する（図８のAfterを参照）。ユーザ機器１００（送信機インターフェース回路４００ｂ）は、ＬＴＥ１マスタ及びＬＴＥ２セカンダリの各々の予約電力を用いて、ＬＴＥ１マスタ及びＬＴＥ２セカンダリの双方でＵＲＬＬＣ信号をそれぞれ送信する。
【０１０１】
図８に示すように、ユーザ機器１００がＬＴＥ１及びＬＴＥ２セカンダリのそれぞれの予約電力を利用できるので、ＵＲＬＬＣ送信は効率的に電力を利用して低遅延で実行される。
【０１０２】
なお、ケース(vi)のＬＴＥ−ＬＴＥデュアルコネクティビティにおいて、ＬＴＥ１がセカンダリ（ＬＴＥ１セカンダリ）として設定され、ＬＴＥ２がマスタ（ＬＴＥ２マスタ）として設定されてもよい（図示せず）。この場合も、上記同様、ユーザ機器１００は、ＬＴＥ１セカンダリ及びＬＴＥ２マスタでのＵＲＬＬＣの上り送信が必要であると判断した場合、ＬＴＥ１セカンダリ及びＬＴＥ２マスタでのＵＲＬＬＣの上り送信に使用する電力を決定する。すなわち、ユーザ機器１００は、図８と同様、ＬＴＥ１セカンダリ及びＬＴＥ２マスタそれぞれの予約電力を、ＬＴＥ１セカンダリ及びＬＴＥ２マスタの各々のＵＲＬＬＣ送信に利用することを決定する。これにより、ユーザ機器１００がＬＴＥ１セカンダリ及びＬＴＥ２マスタのそれぞれの予約電力を利用できるので、ＵＲＬＬＣ送信は効率的に電力を利用して低遅延で実行される。
【０１０３】
［ケース(vii)（図９）］
ケース(vii)では、ＬＴＥ−ＮＲデュアルコネクティビティにおいて、ＮＲセルはマスタ（ＮＲマスタ）として設定され、ＬＴＥはセカンダリ（ＬＴＥセカンダリ）として設定される。
【０１０４】
図２Ａと同様の構成を有するユーザ機器１００は、ＮＲマスタ及びＬＴＥセカンダリの両方に同時に接続される。ユーザ機器１００の上り送信時の最大電力は、ユーザ機器１００のＲＦ性能に限定される。ここでは、上記実施の形態と同様、ユーザ機器１００には、ＮＲ及びＬＴＥそれぞれに対して上り送信用の予約電力が割り当てられる（図９のBeforeを参照）。
【０１０５】
ここで、ユーザ機器１００（送信判定回路５００ａ）は、ＮＲマスタ及びＬＴＥセカンダリの双方でＵＲＬＬＣの上り送信が必要であると判断する。なお、ＵＲＬＬＣ信号は、ＵＲＬＬＣ制御情報及び／またはＵＲＬＬＣデータ情報を含めてもよい。
【０１０６】
この場合、ユーザ機器１００（電力レベル判定回路５００ｂ）は、ＮＲマスタ及びＬＴＥセカンダリにおいてＵＲＬＬＣの上り送信に使用する電力を決定する（図３のＳＴ２０４）。具体的には、電力レベル判定回路５００ｂは、他の通信ネットワークの予約電力を利用せずに、ＮＲマスタ及びＬＴＥセカンダリのそれぞれの予約電力をＮＲマスタ及びＬＴＥセカンダリのそれぞれのＵＲＬＬＣ送信に利用することを決定する（図９のAfterを参照）。ユーザ機器１００（送信機インターフェース回路４００ｂ）は、ＮＲマスタ及びＬＴＥセカンダリの各々の予約電力を用いて、ＮＲマスタ及びＬＴＥセカンダリの双方でＵＲＬＬＣ信号をそれぞれ送信する。
【０１０７】
図９に示すように、ユーザ機器１００がＮＲマスタ及びＬＴＥセカンダリそれぞれの予約電力を利用できるので、ＵＲＬＬＣ送信は効率的に電力を利用して低遅延で実行される。
【０１０８】
なお、ケース(vii)のＬＴＥ−ＮＲデュアルコネクティビティにおいて、ＮＲがセカンダリ（ＮＲセカンダリ）として設定され、ＬＴＥがマスタ（ＬＴＥマスタ）として設定されてもよい（図示せず）。この場合も、上記同様、ユーザ機器１００は、ＮＲセカンダリ及びＬＴＥマスタでのＵＲＬＬＣの上り送信が必要であると判断した場合、ＬＴＥマスタ及びＮＲセカンダリでのＵＲＬＬＣの上り送信に使用する電力を決定する。すなわち、ユーザ機器１００は、図９と同様、ＬＴＥマスタ及びＮＲセカンダリそれぞれの予約電力を、ＬＴＥマスタ及びＮＲセカンダリの各々のＵＲＬＬＣ送信に利用することを決定する。これにより、ユーザ機器１００がＬＴＥマスタ及びＮＲセカンダリのそれぞれの予約電力を利用できるので、ＵＲＬＬＣ送信は効率的に電力を利用して低遅延で実行される。
【０１０９】
以上の説明は、本開示の例示的実施の形態であって、本開示を制限するものではない。
【０１１０】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）または、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１１】
本開示の実施の形態のいくつかの例を、具体的な実施の形態の添付の図面を参照して詳細に説明した。もちろん、考えうるすべての構成要素あるいは技術の組み合わせを記載することは不可能であるので、当業者は、本開示の範囲から逸脱することなく上記の実施の形態に対して種々の変更を加え得ることを認めるであろう。例えば、上記の実施の形態は、３ＧＰＰ（Third Generation Partnership Project）ネットワークの一部を参照して説明したが、本開示の一実施の形態は、同様の機能構成要素を持つ３ＧＰＰネットワークの後継ネットワーク等、ネットワークにも適用可能であることは容易に認めることができる。
【０１１２】
したがって、特に上記の説明、添付図面、添付の特許請求の範囲で使用した３ＧＰＰ用語及び関連用語は、今後適切に解釈されるべきである。
【０１１３】
特に、本開示に対する変更やその他の実施の形態は、以下の説明や関連図面に示す教訓の恩恵を受ける当業者なら想到しうるものである。したがって、本開示は開示された特定の実施の形態に限定されるものではなく、変更や他の実施の形態は、本開示の範囲内に含まれることを想定している。ここでは、具体的な用語を用いたが、これらの用語は一般的、記述的目的で用いたものであって、制限を加えることを意図したものではない。
【０１１４】
本開示のユーザ機器は、通信ネットワークにおいてデュアルコネクティビティを実行可能なユーザ機器であって、２つの通信ネットワークと同時通信し、前記２つの通信ネットワークの何れか一方でＵＲＬＬＣ（超高信頼性、低遅延通信）が運用される、無線インターフェース回路と、前記一方の通信ネットワークに対して前記ＵＲＬＬＣ送信が必要であり、前記２つの通信ネットワークの他方の通信ネットワークでは前記ＵＲＬＬＣが運用されていないと判断する制御回路と、を具備し、前記制御回路は、前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、前記無線インターフェース回路は、前記第１の予約電力及び前記第２の予約電力を用いて、前記一方の通信ネットワークで前記ＵＲＬＬＣの信号を送信する。
【０１１５】
本開示のユーザ機器において、前記ＵＲＬＬＣの信号は、超高信頼性、低遅延通信の制御情報である。
【０１１６】
本開示のユーザ機器において、前記ＵＲＬＬＣの信号は、スケジューリング要求（ＳＲ）またはＨＡＲＱ−ＡＣＫである。
【０１１７】
本開示のユーザ機器において、前記２つの通信ネットワークは、ＬＴＥ通信ネットワーク及びＮＲ通信ネットワーク、ＮＲ通信ネットワーク及びＮＲ通信ネットワーク、または、ＬＴＥ通信ネットワーク及びＬＴＥ通信ネットワークである。
【０１１８】
本開示のユーザ機器において、前記２つの通信ネットワークはそれぞれＬＴＥ通信ネットワーク及びＮＲ通信ネットワークであり、前記ＵＲＬＬＣは前記ＮＲ通信ネットワークで運用される。
【０１１９】
本開示のユーザ機器において、前記２つの通信ネットワークはそれぞれＬＴＥ通信ネットワーク及びＮＲ通信ネットワークであり、前記ＵＲＬＬＣは前記ＬＴＥ通信ネットワークで運用される。
【０１２０】
本開示のユーザ機器において、前記２つの通信ネットワークの一方はマスタ通信ネットワーク（ＭＣＧ）であり、他方はセカンダリ通信ネットワーク（ＳＣＧ）である。
【０１２１】
本開示のユーザ機器において、前記マスタ通信ネットワークはＮＲ通信ネットワークであり、前記セカンダリ通信ネットワークはＬＴＥ通信ネットワークである。
【０１２２】
本開示のユーザ機器において、前記マスタ通信ネットワークはＬＴＥ通信ネットワークであり、前記セカンダリ通信ネットワークはＮＲ通信ネットワークである。
【０１２３】
本開示のユーザ機器において、前記２つの通信ネットワークはＮＲ通信ネットワーク及びＮＲ通信ネットワークであり、一方の前記ＮＲ通信ネットワークはマスタ通信ネットワーク（ＭＣＧ）であり、他方の前記ＮＲ通信ネットワークはセカンダリ通信ネットワーク（ＳＣＧ）である。
【０１２４】
本開示のユーザ機器において、前記２つの通信ネットワークはＬＴＥ通信ネットワーク及びＬＴＥ通信ネットワークであり、一方の前記ＬＴＥ通信ネットワークはマスタ通信ネットワーク（ＭＣＧ）であり、他方の前記ＬＴＥ通信ネットワークはセカンダリ通信ネットワーク（ＳＣＧ）である。
【０１２５】
本開示のユーザ機器は、通信ネットワークにおいてデュアルコネクティビティを実行可能なユーザ機器であって、２つの通信ネットワークと同時通信し、前記２つの通信ネットワークの双方でＵＲＬＬＣ（超高信頼性、低遅延通信）が運用される、無線インターフェース回路と、前記２つの通信ネットワークの双方に対して前記ＵＲＬＬＣ送信が必要であると判断する制御回路と、を具備し、前記制御回路は、前記２つの通信ネットワークの各々に対する前記ＵＲＬＬＣ送信のために、他の通信ネットワークの予約電力を利用せずに、前記２つの通信ネットワークのそれぞれの予約電力を利用することを決定し、前記無線インターフェース回路は、前記２つの通信ネットワークのそれぞれの前記予約電力を用いて、前記２つの通信ネットワークで前記ＵＲＬＬＣの信号をそれぞれ送信する。
【０１２６】
本開示の方法は、通信ネットワークにおけるデュアルコネクティビティの実行方法であって、２つの通信ネットワークと通信し、前記２つの通信ネットワークの何れか一方でＵＲＬＬＣ（超高信頼性、低遅延通信）が運用され、前記一方の通信ネットワークに対して前記ＵＲＬＬＣ送信が必要であり、前記２つの通信ネットワークの他方の通信ネットワークでは前記ＵＲＬＬＣが運用されていないと判断し、前記ＵＲＬＬＣ送信が必要な前記一方の通信ネットワークに対する前記ＵＲＬＬＣの送信のために、前記一方の通信ネットワークの第１の予約電力、及び、前記ＵＲＬＬＣが運用されていない前記他方の通信ネットワークの第２の予約電力を利用することを決定し、前記第１の予約電力及び前記第２の予約電力を用いて、前記一方の通信ネットワークで前記ＵＲＬＬＣの信号を送信する。
【０１２７】
本開示の方法は、通信ネットワークにおけるデュアルコネクティビティの実行方法であって、２つの通信ネットワークと通信し、前記２つの通信ネットワークの双方でＵＲＬＬＣ（超高信頼性、低遅延通信）が運用され、前記２つの通信ネットワークの双方に対して前記ＵＲＬＬＣ送信が必要であると判断し、前記２つの通信ネットワークの各々に対する前記ＵＲＬＬＣの送信のために、他の通信ネットワークの予約電力を利用せずに、前記２つの通信ネットワークのそれぞれの予約電力を利用することを決定し、前記２つの通信ネットワークのそれぞれの前記予約電力を用いて、前記２つの通信ネットワークで前記ＵＲＬＬＣの信号をそれぞれ送信する。
【０１２８】
本開示の一態様は、移動通信システムに有用である。
【符号の説明】
【０１２９】
１００  ユーザ機器
２００，３００  基地局
４００  無線インターフェース回路
４００ａ  受信機インターフェース回路
４００ｂ  送信機インターフェース回路
５００  制御回路
５００ａ  送信判定回路
５００ｂ  電力レベル判定回路
【図１】
2018220992.tif 000003
【図２Ａ】
2018220992.tif 000004
【図２Ｂ】
2018220992.tif 000005
【図３】
2018220992.tif 000006
【図４Ａ】
2018220992.tif 000007
【図４Ｂ】
2018220992.tif 000008
【図４Ｃ】
2018220992.tif 000009
【図４Ｄ】
2018220992.tif 000010
【図５Ａ】
2018220992.tif 000011
【図５Ｂ】
2018220992.tif 000012
【図６Ａ】
2018220992.tif 000013
【図６Ｂ】
2018220992.tif 000014
【図７】
2018220992.tif 000015
【図８】
2018220992.tif 000016
【図９】
2018220992.tif 000017
【国際調査報告】
2018220992.tif 000018
2018220992.tif 000019
2018220992.tif 000020